(57)【特許請求の範囲】
【請求項１】
可撓性シースと、この可撓性シース内に挿通され、可撓チューブの先端に穿刺針を連結して設けた穿刺部材とからなり、体腔内への挿入部材に設けた処置具挿通路に挿通される穿刺装置において、
前記処置具挿通路の入口部に着脱可能に固定され、前記可撓性シースが挿通されるホルダ部材と、
前記ホルダ部材に挿嵌されて、前記可撓性シースの後端部が固定されるシース保持部材と、
前記穿刺部材の後端部が連結され、前記可撓性シースの先端から前記穿刺部材の穿刺針を出没させる操作を行うための操作部材とからなり、
前記操作部材は、前記穿刺部材を前記可撓性シースの先端から突出する方向に付勢する付勢手段と、この穿刺部材をこの付勢手段の付勢力により一定間隔毎に間欠的に送り出すピッチ送り手段とを備える
構成としたことを特徴とする穿刺装置。
【請求項２】
前記シース保持部材は、前記ホルダ部材への嵌合部の位置を調整可能に固定する構成としたことを特徴とする請求項１記載の穿刺装置。
【請求項３】
前記ピッチ送り手段は、前記穿刺部材の後端部が固定的に連結され、前記付勢手段に付勢されたスライド部材と、このスライド部材の表面のうち、相対向する部位に２組の鋸歯列を設けることにより構成され、前記各鋸歯列を構成する鋸歯は、前記付勢手段に向いた側から斜めに立ち上がる傾斜面で、この傾斜面の頂点から前記スライド部材の軸線と直交する鉛直面となり、各列の鋸歯は相互に１ピッチ分以上軸線方向にずらした位置に配設されており、かつ前記スライド部材には、その軸線と直交する方向に往復移動可能なストッパリングを備え、このストッパリングは前記各鋸歯列の各々の鋸歯の鉛直面に選択的に当接可能な構成としたことを特徴とする請求項１記載の穿刺装置。
【発明の詳細な説明】
【技術分野】
【０００１】
本発明は、超音波内視鏡等における挿入部に設けた処置具挿通路に挿通されて、例えば細胞診を行うに当って、体内における病変部等から組織細胞を採取する、等の処置を行うために用いられる穿刺装置に関するものである。
【背景技術】
【０００２】
被検者の体腔内に挿入されて、体内組織の状態に関する情報を取得するための装置としては、体内挿入型の超音波診断装置がある。また、超音波検査手段と内視鏡観察手段とを一体に組み込んだ超音波内視鏡も従来から広く用いられている。これらは体腔内に挿入されることから、本体操作部に挿入部を連結して設け、この挿入部の先端に超音波検査手段を構成する超音波トランスデューサが、また超音波内視鏡の場合には、超音波トランスデューサと共にカメラ装置等からなる内視鏡観察手段が装着される。超音波トランスデューサを作動させると、体内組織の断層情報が得られることから、病変部である可能性がある部位、つまり関心領域（ＲＯＩ）を設定することができる。そして、病変の有無及びその種類や、進行の程度等といった詳細な情報を取得するためには、この関心領域における組織細胞を採取して、細胞診を行わなければならない。このために用いられるのが穿刺装置である。
【０００３】
超音波内視鏡等にあっては、その挿入部に処置具挿通路が設けられているので、この処置具挿通路を介して穿刺装置を体腔内に挿入し、この穿刺装置を体腔内壁から体内に刺入することができる。例えば、特許文献１にはこの種の穿刺装置が開示されている。この特許文献１の穿刺装置は、コイルシース内に穿刺針を挿入し、この穿刺針の操作をコイルシースの端部に設けた操作手段で操作できる構成としたものである。穿刺針を操作手段によりコイルシースの先端から突出するには、第１段階として、手動操作で穿刺針をコイルシースから突出させるようになっており、穿刺針が体内において、ある程度の深さまで刺入されたときに、第２段階目の操作を行って、ばねの付勢力により穿刺針を高速で突出することになる。
【０００４】
ここで、ばねの付勢力で穿刺針を高速で突出させるのは、組織が硬い部位であり、手動操作では穿刺針を差し込みにくいことがあり、この部位に容易に刺入できるようにするためである。操作部材にはスイッチ部が設けられ、このスイッチ部を操作することにより穿刺針が突出動作をすることになるが、誤操作によりスイッチ部を作動させてしまうことを考慮して、安全確保のために、スイッチ部を操作しても、直ちには穿刺針が動作しないようにするために、規制部材を設ける構成としている。従って、規制解除状態となっていなければ、スイッチ部が操作されたとしても、穿刺針がコイルシースから突出しないようにしている。
【特許文献１】特開２００１−３７７６５号公報
【発明の開示】
【発明が解決しようとする課題】
【０００５】
ところで、穿刺針は体内に刺入される関係から、例えば血管等に対して傷を付ける等の事態を防止しなければならない。しかしながら、手動操作で穿刺針を突出させる場合にあっては、穿刺針の位置の安定性を確保するのが困難であり、また刺し込み量や方向を誤る可能性がない訳ではない。そして、ばねの付勢力によって穿刺針を突出させる動作については、規制部材による安全措置が施されているにしても、この規制部材による規制は穿刺針の作動開始時点で働く安全措置であり、一度穿刺針の動きが開始されると、途中で停止させることができず、その移動ストローク端位置まで制御できないことになる。従って、穿刺針の操作時に不測の事態が生じる可能性は否定できないものとなる。
【０００６】
本発明は以上の点に鑑みてなされたものであって、その目的とするところは、穿刺針の操作性が良好であって、しかもこの穿刺針の操作による処置を極めて安全に行えるようにすることにある。
【課題を解決するための手段】
【０００７】
前述した目的を達成するために、本発明は、可撓性シースと、この可撓性シース内に挿通され、可撓チューブの先端に穿刺針を連結して設けた穿刺部材とからなり、体腔内への挿入部材に設けた処置具挿通路に挿通される穿刺装置であって、前記処置具挿通路の入口部に着脱可能に固定され、前記可撓性シースが挿通されるホルダ部材と、前記ホルダ部材に挿嵌されて、前記可撓性シースの後端部が固定されるシース保持部材と、前記穿刺部材の後端部が連結され、前記可撓性シースの先端から前記穿刺部材の穿刺針を出没させる操作を行うための操作部材とからなり、前記操作部材は、前記穿刺部材を前記可撓性シースの先端から突出する方向に付勢する付勢手段と、この穿刺部材をこの付勢手段の付勢力により一定間隔毎に間欠的に送り出すピッチ送り手段とを備える構成としたことをその特徴とするものである。
【０００８】
ここで、穿刺針は１本構成のものであっても良く、また内針と外針との２重の穿刺針とすることもできる。この２重の穿刺針の場合には、内針を外針から所定の長さだけ突出させた状態で体内に刺入することになり、内針の先端部分の周胴部に組織の取り込み用の開口を形成する。そして、吸引等により内針の開口から組織が取り込まれると、外針を突出させて、内針に吸引されている組織を切り取るように操作する。従って、この場合においては、可撓性シースから内針と外針とを一体に送り出す際にピッチ送り手段によるピッチ送りを行うようにする。
【０００９】
ホルダ部材は処置具挿通路の入口部における処置具導入部に着脱可能に固定される。一般に、処置具導入部には鉗子栓が着脱可能に装着されるようになっており、この鉗子栓を取り外した状態で、シリンジ等を保持できるようになる。穿刺部材が挿通される可撓性シースは処置具挿通路内に挿通されるが、この可撓性シースを処置具挿通路内に引き込んだ状態と、処置具挿通路から導出させた状態とに変位させるために、シース保持部材をホルダ部材に嵌合させるようにして連結・固定し、この嵌合部の位置を調整可能とする。このように、シース保持部材とホルダ部材との位置関係を調整可能とすることによって、ホルダ部材を処置具導入部に固定した状態で、可撓性シースの挿入部材の先端からの突出長さを制御することができる。可撓性シースは、曲げ方向に可撓性を有するものであり、例えば樹脂チューブ等で形成しても良いが、内部に挿通される穿刺針の鋭利な先端で可撓性シースが損傷するのを防止するためには、可撓性シースを密着コイルで構成するのが望ましい。
【００１０】
ピッチ送り手段は、付勢力による穿刺針の可撓性シースからの送り出しを間欠的に行うものであり、ピッチ間隔は安全性と機能性とから適宜設定される。その送りは電気的に制御する構成としても良く、また機械的に制御するように構成することもできる。いずれにしろ、可撓性シースの先端から穿刺針を送り出す操作は手動操作で行うのではなく、ばね等からなる付勢手段の付勢力を利用して穿刺針の送り出し推力を作用させる。穿刺針の動作制御は、例えばカム機構を用いることもできるが、次のような構成を採用することもできる。
【００１１】
即ち、穿刺針を可撓性シース内に引き込む際に、付勢手段に付勢力を蓄積させるようになし、この穿刺部材を一定のピッチ間隔毎に押し出すために、ピッチ送り手段を備える構成とする。ピッチ送り手段は、穿刺部材の後端部が固定的に連結され、付勢手段に付勢されたスライド部材と、このスライド部材の表面のうち、相対向する部位に２組の鋸歯列を設けることにより構成され、各鋸歯列を構成する鋸歯は、付勢手段に向いた側から斜めに立ち上がる傾斜面で、この傾斜面の頂点からスライド部材の軸線と直交する鉛直面となり、各列の鋸歯は相互に１ピッチ分以上軸線方向にずらした位置に配設されており、かつスライド部材には、その軸線と直交する方向に往復移動可能なストッパリングを備え、このストッパリングは各鋸歯列の各々の鋸歯の鉛直面に選択的に当接可能な構成とすることができる。
【発明の効果】
【００１２】
以上のように、穿刺針を体内に刺入するに当っては、付勢手段による付勢力を推力とするので、付勢手段の付勢力を大きくすることによって、穿刺針に作用させる推力を大きくすることができ、操作性が良好になり、かつ穿刺針の体内への刺入が開始された後にも、所望の位置で停止させることができるので、この穿刺針の操作による処置を極めて安全に行える。
【発明を実施するための最良の形態】
【００１３】
以下、図面を参照して、本発明の実施の形態について説明する。まず、図１に穿刺装置１の全体構成を示す。この穿刺装置１は、例えば体内の組織細胞の採取を行うために、図２及び図３に示した超音波内視鏡２の本体操作部３から挿入部４に延在させた処置具挿通路５内に挿通される。処置具挿通路５は、その基端側が本体操作部３に設けた処置具導入部６に接続されており、先端部は挿入部４の先端面に開口している。そして、挿入部４の先端部には超音波トランスデューサ７が装着されており、この超音波トランスデューサ７の装着部より基端側の位置に傾斜面８が形成されており、この傾斜面８に観察部９（図６参照）を含む内視鏡観察手段が設けられている。
【００１４】
穿刺装置１は、処置具導入部６に着脱可能に装着される操作ユニット１０と、この操作ユニット１０から延在させたコード１１とから構成されている。コード１１は、図４に拡大して示したように、先端が鋭利になった穿刺針１２を有するものであり、この穿刺針１２は可撓チューブ１３の先端に連結されている。このように、可撓チューブ１３を連結した穿刺針１２からなる穿刺部材１４は、密着コイルからなる可撓性シース１５内に挿通されており、操作ユニット１０の操作によって、穿刺針１２はこの可撓性シース１５の内部に引き込んだ状態から、可撓性シース１５の先端から所定長さ導出させるように操作可能になっている。ここで、穿刺針１２の先端には開口部１２ａが形成されており、この開口部１２ａから負圧吸引力を作用させることができるようになっている。
【００１５】
操作ユニット１０はホルダ部材２０を有し、このホルダ部材２０は処置具導入部６に着脱可能に固定されるものである。このホルダ部材２０にはシース保持部材２１が嵌合されている。シース保持部材２１の先端部には、可撓性シース１５の後端部を連結・固定したシース連結部材２２が螺挿されている。シース保持部材２１はホルダ部材２０への嵌合部２１ａを有し、この嵌合部２１ａは所定長さ分だけホルダ部材２０の軸線方向に移動可能となっており、ホルダ部材２０に螺挿した固定用ねじ２３によってこの嵌合部の任意の位置に位置調整可能に固定できるものである。
【００１６】
シース保持部材２１の嵌合部２１ａの後端側には周胴部２１ｂが延設されており、この周胴部２１ｂにはガイド筒２４が螺合等の手段で固定されている。このガイド筒２４の内部にはスライド軸２５が挿通されており、このスライド軸２５の後端部には受け筒２６が螺挿により固定されている。さらに、受け筒２６の内部にはチューブ連結部材２７が挿嵌されて、止めねじ２８によって固定されている。
【００１７】
穿刺針１２に連結した可撓チューブ１３は、シース保持部材２１により固定されている可撓性シース１５の後端部から延在させて、スライド軸２５に軸線方向に貫通するように設けた挿通孔２５ａを通過して、チューブ連結部材２７に固定されている。このチューブ連結部材２７には可撓チューブ１３に通じる連通孔２７ａが穿設されており、この連通孔２７ａはシリンジ等が連結される接続部２７ｂに通じている。
【００１８】
スライド軸２５をその軸線方向に移動させることにより、穿刺針１２を連結した可撓チューブ１３からなる穿刺部材１４を可撓性シース１５内で押し引きされ、もって穿刺針１２を可撓性シース１５の先端から出没させることができる。このために、スライド軸２５は、その先端近傍位置にはシース保持部材２１における周胴部２１ｂの内面に対して摺動可能となっており、スライド軸２５の後端部分はガイド筒２４の後端側に内向きの円環状に形成したガイド部２４ａに対して摺動可能となっている。
【００１９】
スライド軸２５は、ガイド筒２４を連結したシース保持部材２１の軸線方向に移動可能となっており、その間にピッチ送り手段を備えている。このピッチ送り手段はガイド筒２４とスライド軸２５との間に設けられている。図５にも示したように、スライド軸２５の後端部側及び先端側は円柱状となり、それぞれガイド筒２４のガイド部２４ａ及びシース保持部材２１の嵌合部２１ａと摺動する摺動面部２５ｂ及び２５ｃで、これら摺動面部２５ｂ，２５ｃ間の部位は四角柱からなる作動部２５ｄとなっている。作動部２５ｄには、その相対向する表面に鋸歯列３０Ａ，３０Ｂが設けられている。これら鋸歯列３０Ａ，３０Ｂは、先端側、つまり摺動面２５ｃに向く側が作動部２５ｄのその表面とほぼ同じ幅を有する垂直壁からなる鉛直面３１ａとなり、その頂点部から後端側、つまり摺動面２５ｂに向けて傾斜面３１ｂとなった鋸歯３１をスライド軸２５の軸線方向に向けて所定のピッチ間隔で複数設けることにより構成されている。前後の鋸歯３１はそれぞれ１ピッチ間隔を空けて配列されており、かつ各鋸歯列３０Ａ，３０Ｂは交互に鋸歯３１が配置されている。従って、一方の鋸歯列における前後の鋸歯３１間の間隔に他方の鋸歯列を構成する鋸歯３１が配置されている。
【００２０】
スライド軸２５の作動部２５ｄにはストッパリング３２が嵌合されている。ストッパリング３２は作動部２５ｄの外面形状と、この作動部２５ｄに形成した鋸歯３１の１個分より僅かに大きい開口を有するものである。そして、スライド軸２５に嵌合させたストッパリング３２には上下に、つまり各鋸歯列３０Ａ，３０Ｂを設けた部位において、押動操作部３３Ａ，３３Ｂが突設されており、これら押動操作部３３Ａ及び３３Ｂはガイド筒２３を貫通して外部に導出されており、それらの先端部には平坦な押動部３３ａＡ及び３３ａＢが形成されている。従って、これら押動部３３ａＡ及び３３ａＢを手指で押し込むことにより、ストッパリング３２はスライド軸２５と直交する方向に向けてほぼ鋸歯３１の高さ分だけ変位することになる。
【００２１】
スライド軸２５には、さらにその作動部２５ｄと摺動部２５ｂとの境界部分にフランジ部２５ｅが設けられており、このフランジ部２５ｅとガイド筒２４のガイド部２４ａとの間にスライド軸２５を先端側に向けて押動するように付勢する付勢手段としての圧縮ばね３４が設けられている。一方、ガイド筒２４のシース保持部材２１への嵌合部側には位置決めスリーブ３５が装着されており、ストッパリング３２は圧縮ばね３４の付勢力によって、常時この位置決めスリーブ３５の端面と当接している。さらに、シース保持部材２１の嵌合部２１ａの内部には規制リング３６が挿入されており、この規制リング３６は止めねじ３７によって嵌合部２１ａの軸線方向における任意の位置に固定できるようになっている。このために、嵌合部２１ａには止めねじ３７が挿通されるスリット３８が軸線方向に向けて所定の長さにわたって形成されている。これによって、スライド軸２５が先端側に向けて移動したときに、このスライド軸２５の端面が規制リング３６に当接することによって、その最前進位置が規制されることになる。これによって、可撓性シース１５の先端からの穿刺針１２の最導出位置が規制される。
【００２２】
本発明は以上のように構成されるものであって、穿刺装置１は超音波内視鏡２の本体操作部３に設けた処置具挿通路５内に挿通されて、そのコード１１を挿入部４の先端から導出させて、細胞を採取したり、薬液を注入したりする処置が施される。
【００２３】
ここで、図１に示されているのは、スライド軸２５が後端側に引き出されて、穿刺針１２が可撓性シース１５に引き込まれた穿刺針１２のストローク始端位置である。穿刺装置１をこの状態にして、コード１１を処置具挿通路５内に挿通させて、操作ユニット１０を処置具導入部６に固定する。即ち、ホルダ部材２０を処置具導入部６に固定して、固定用ねじ２３によりシース保持部材２１をホルダ部材２０に連結する。当初においては、このシース保持部材２１のホルダ部材２０への固定位置を調整することによって、コード１１の先端が挿入部４の先端から導出しないようにする。以上のようにして穿刺装置１が超音波内視鏡２に組み込まれるが、穿刺装置１の組み込みは超音波内視鏡２の挿入部４を体腔内に挿入する前の段階で行うことができ、また挿入部４を体腔内に挿入して内視鏡検査及び超音波検査を行い、穿刺装置１を用いた処置を行うことを必要としたときに組み込むようにすることもできる。そして、受け筒２６には、例えば吸引用シリンジ（薬液を注入する場合には、薬液圧送用のシリンジ）を接続しておく。
【００２４】
図６に示したように、超音波トランスデューサ７を作動させることにより超音波検査を行った結果、関心領域ＲＯＩが検出されると、穿刺装置１を使用して、この関心領域ＲＯＩから組織細胞を採取する。なお、超音波トランスデューサ７と体腔内壁との間に空気が介在しないようにするために、超音波トランスデューサ７の配置部にはバルーンＢを装着して、内部に超音波伝達媒体を封入してバルーンＢを膨出させて、体腔内壁に当接させるようにするのが望ましい。
【００２５】
そこで、まず、処置具導入部６に固定されている操作ユニット１０における固定用ねじ２３を緩めて、シース保持部材２１をホルダ部材２０の内部に押し込むように操作する。その結果、図７に示したように、コード１１が挿入部４の先端から突出することになる。ここで、このコード１１の突出量は、好ましくは体腔内壁に当接する位置とする。この操作は内視鏡観察手段を構成する観察窓９から得られる体内画像に基づいて行われる。
【００２６】
この状態で、図８に示したように、穿刺針１２をピッチ送りすることによって、この穿刺針１２を関心領域ＲＯＩ内に刺入させる。而して、穿刺針１２及びこれに連結した可撓チューブ１３からなる穿刺部材１４は、可撓性シース１５内に軸線方向に移動可能に挿通されているので、可撓性シース１５を固定しておき、その内部で可撓チューブ１３を前進させることにより、穿刺針１２が可撓性シース１５の先端から導出されて、体内に刺入される。ただし、この穿刺針１２の体内への刺入は一連の動作で行われるのではなく、所定間隔毎の間欠動作で穿刺針１２が進行することになり、しかもそのピッチ送りは圧縮ばね３４の付勢力により行われるものであり、この圧縮ばね３４のばね力により衝撃的に送り込む動きとなる。
【００２７】
即ち、スライド軸２５には鋸歯列３０Ａ，３０Ｂが設けられており、これらの鋸歯列３０Ａまたは３０Ｂを構成するいずれかの、例えば鋸歯列３０Ａの最先端側の鋸歯３１における鉛直面３１ａにストッパリング３２が当接しており、かつ圧縮ばね３４の作用によって、この鉛直面３１ａはストッパリング３２に圧接している。そこで、ストッパリング３２に設けた押動操作部３３Ａ，３３Ｂの一方、具体的には押動操作部３３Ｂをスライド軸２５の軸線と直交する方向に移動させる。これによって、スライド軸２５は圧縮ばね３４の付勢力により図１の矢印方向に移動することになる。ただし、ストッパリング３２は鋸歯列３０Ｂの最先端側の鋸歯３１における鉛直面３１ａと対面するので、１回の操作ではスライド軸２５はこの鋸歯３１の鉛直面３１ａと当接する位置までしか進行しない。その後、押動操作部３３Ａを操作して、ストッパリング３２を前述とは反対方向に押動することによって、鋸歯列３０Ｂの最先端側の鋸歯３１から離脱して、鋸歯列３０Ａの先端から２番目に位置する鋸歯３１の鉛直面３１ａと当接する位置まで進行する。従って、穿刺針１２は図８に仮想線で示したようにして徐々に深く刺入されて、関心領域ＲＯＩに至ることになる。
【００２８】
以上のように、ストッパリング３２の押動操作部３３Ａ，３３Ｂを交互に押動することによって、スライド軸２５が鋸歯列３０Ａの鋸歯３１における鉛直面３１ａと、それより後端側に位置する鋸歯列３０Ｂの鋸歯３１における鉛直面３１ａ間の間隔、及びが鋸歯列３０Ｂの鋸歯３１における鉛直面３１ａと、それより後端側に位置する鋸歯列３０Ａの鋸歯３１における鉛直面３１ａを１ピッチとして、間欠的に穿刺針１２が突出して体内に刺入されることになる。ここで、前述した穿刺針１２の送りピッチ間隔は、処置すべき部位にもよるが、好ましくは１ｃｍ以下、例えば５ｍｍ程度とするのが望ましい。
【００２９】
以上のように、穿刺針１２をピッチ送りすることによって、穿刺時に安全性を確認しながら操作することができ、例えば穿刺経路に血管等が存在している場合等にあっては、確実に回避動作を取ることができ、また回避できないときには、穿刺操作を中断して、穿刺針１２を引き戻す等の操作が可能になる。しかも、穿刺針１２はピッチ送りされるにも拘らず、圧縮ばね３４に蓄積した付勢力の作用により駆動されることから、移動は高速で衝撃的に行われるようになり、関心領域ＲＯＩにおける組織が硬い場合であっても、この組織に確実に刺入させる推力が得られる。また、穿刺針１２の刺入深さを容易に制御できるので、超音波トランスデューサ７により穿刺針１２の先端位置を確認しながら、ストッパリング３２の操作を行って、関心領域ＲＯＩにおける所定の位置まで穿刺針１２が進行したときに、ストッパリング３２の操作によるスライド軸２５の前進操作を停止させることによって、この穿刺針１２の刺入深さを正確に調整することができる。また、ガイド筒２４には規制リング３６が装着されており、この規制リング３６によって、穿刺針１２の突出ストローク終端位置が規制される。従って、超音波トランスデューサ７の観察範囲や、検査部位等を総合勘案して、穿刺針１２の最大突出位置を予め規制しておくことにより、さらに安全な処置を行えることになる。
【００３０】
穿刺針１２が関心領域ＲＯＩに到達すると、受け筒２６に接続した吸引用シリンジを作動させて、その開口部１２ａから体内組織を吸引することにより組織の採取が行われる。なお、穿刺針１２を２重針として、内針に開口部を形成し、外針はこの内針に対して摺動可能な構成とすると、内針に吸引した組織を外針で摺り切るようにして切断できることになる。
【００３１】
穿刺針１２により体内組織を採取した後には、穿刺針１２を可撓性シース１５内に引き戻す。この操作は、スライド軸２５を図１の矢印とは反対方向に移動させる。このスライド軸２５に設けた鋸歯列３０Ａ，３０Ｂの各鋸歯３１は交互に配置しており、かつ穿刺針１２の引き戻し方向には傾斜面３１ｂとなっているので、スライド軸２５の移動によりストッパリング３２はこの傾斜面３１ｂに乗り上げるようになり、この鋸歯３１を乗り越えることになる。従って、このスライド軸２５の移動によって、ストッパリング３２はその軸線と直交する方向に往復移動することにより次々に鋸歯３１を乗り越えるようになり、スライド軸２５のこの方向への移動時にストッパリング３２は鋸歯３１と干渉してロックするようなことはない。そして、このスライド軸２５の変位によって、圧縮ばね３４が圧縮される。
【００３２】
穿刺針１２が可撓性シース１５の内部に引き込まれたときに、このスライド軸２５に対する引っ張り力を解除する。その結果、圧縮ばねストッパリング３２は鋸歯列３０Ａまたは３０Ｂを構成するいずれかの鋸歯３１の鉛直面３１ａに圧接されて、その位置でスライド軸２５が停止する。その後、コード１１を処置具挿通路５から引き出す。これにより関心領域ＲＯＩの組織細胞が採取され、このようにして採取された組織細胞により細胞診を行うことができる。
【図面の簡単な説明】
【００３３】
【図１】本発明の実施の一形態を示す穿刺装置の断面図である。
【図２】穿刺装置を組み込んだ超音波内視鏡の概略構成図である。
【図３】穿刺装置の処置具導入部への接続部を示す構成説明図である。
【図４】穿刺装置を構成するコードの先端部分の拡大断面図である。
【図５】ピッチ送り手段を構成するスライド軸とストッパリングとの外観図である。
【図６】操作前の状態を示す穿刺装置の作用説明図である。
【図７】コードの先端を処置具挿通路から導出させた状態を示す穿刺装置の作用説明図である。
【図８】穿刺針をピッチ送りしている状態を示す穿刺装置の作用説明図である。
【符号の説明】
【００３４】
１  穿刺装置                    ２  超音波内視鏡
４  挿入部                      ５  処置具挿通路
６  処置具導入部                １０  操作ユニット
１１  コード                    １２  穿刺針
１２ａ  開口部                  １３  可撓チューブ
１４  穿刺部材                  １５  可撓性シース
２０  ホルダ部材                ２１  シース保持部材
２２  シース連結部材            ２４  ガイド筒
２５  スライド軸                ２５ｂ，２５ｃ  摺動面部
２５ｄ  作動部                  ２６  受け筒
２７  チューブ連結部材          ３０Ａ，３０Ｂ  鋸歯列
３１  鋸歯                      ３１ａ  鉛直面
３１ｂ  傾斜面                  ３２  ストッパリング
３３Ａ，３３Ｂ  押動操作部        ３４  圧縮ばね
３５  位置決めスリーブ          ３６  規制リング
【図１】
0004506982.tif 000002
【図２】
0004506982.tif 000003
【図３】
0004506982.tif 000004
【図４】
0004506982.tif 000005
【図５】
0004506982.tif 000006
【図６】
0004506982.tif 000007
【図７】
0004506982.tif 000008
【図８】
0004506982.tif 000009